(57)【要約】【課題】入金処理を取消す操作を受け付けたとき、一時保管庫に保管された紙幣を操作者へ返却する時間を短縮する。【解決手段】顧客により接客部１３の紙幣投入庫１３１に投入された紙幣を鑑別部１５で鑑別し、その鑑別部１５で入金可能と鑑別された紙幣を紙幣収納庫１６ａ〜１６ｃに収納する前に集積して保管する一時保管庫１３３を接客部１３に設け、入金処理を取消す指示を受けたとき、接客部１３のシャッタ１２を開放して一時保管庫１３３に保管された紙幣を顧客に返却できるようにした。【選択図】        図１
2010015336.tif 000002
【特許請求の範囲】
【請求項１】
顧客により接客部の紙幣投入庫に投入された紙幣を搬送して鑑別部で鑑別し、入金可能と鑑別された紙幣を紙幣収納庫に収納する入金処理を行う紙幣処理装置において、
鑑別部で入金可能と鑑別された紙幣を紙幣収納庫に収納する前に集積して保管する一時保管庫を前記接客部に設け、
入金処理を取消す指示を受けたとき、前記接客部のシャッタを開放して前記一時保管庫に保管された紙幣を顧客に返却できるようにしたことを特徴とする紙幣処理装置。
【請求項２】
請求項１の紙幣処理装置において、
前記接客部は、紙幣の投入を受付ける紙幣投入庫、鑑別部で入金不可能と鑑別された紙幣を集積して該紙幣を顧客に返却するリジェクト紙幣返却庫および前記一時保管庫からなり、該紙幣投入庫への紙幣の投入および該リジェクト紙幣返却庫ならびに一時保管庫からの紙幣の返却を可能にする開口部を有することを特徴とする紙幣処理装置。
【請求項３】
請求項２の紙幣処理装置において、
前記接客部は、前記紙幣投入庫、リジェクト紙幣収納庫および一時保管庫に形成されたそれぞれの開口部が、開閉自在のシャッタに対向するように移動自在に構成されていることを特徴とする紙幣処理装置。
【請求項４】
請求項２の紙幣処理装置において、
前記接客部の紙幣投入庫、リジェクト紙幣収納庫および一時保管庫に形成されたそれぞれの開口部に対向するように移動および開閉自在のシャッタを設けたことを特徴とする紙幣処理装置。
【請求項５】
請求項２の紙幣処理装置において、
前記接客部に、
前記紙幣投入庫と前記リジェクト紙幣収納庫とを仕切る第１の仕切り板と、
前記リジェクト紙幣収納庫と前記一時保管庫とを仕切る第２の仕切り板と、
前記リジェクト紙幣収納庫に集積された紙幣を押圧する第１の紙幣押圧板と、
前記一時保管庫に集積された紙幣を押圧する第２の紙幣押圧板とを移動自在に設け、
前記第１の仕切り板および前記第１の紙幣押圧板で前記リジェクト紙幣収納庫に集積された紙幣を開閉自在のシャッタに対向する位置へ移動させて前記リジェクト紙幣収納庫に集積された紙幣を顧客に返却できるようにし、前記第２の仕切り板および前記第２の紙幣押圧板で前記一時保管庫に集積された紙幣を開閉自在のシャッタに対向する位置へ移動させて前記一時保管庫に集積された紙幣を顧客に返却できるようにしたことを特徴とする紙幣処理装置。
【請求項６】
請求項３の紙幣処理装置において、
前記接客部は、摺動自在に構成されていることを特徴とする紙幣処理装置。
【請求項７】
請求項３の紙幣処理装置において、
前記接客部は、回動自在に構成されていることを特徴とする紙幣処理装置。
【発明の詳細な説明】
【技術分野】
【０００１】
本発明は、顧客やオペレータ等の操作者により紙幣の入出金処理を行う紙幣処理装置に関し、特に入金処理を取消す操作を受け付けたとき、入金された紙幣を操作者に返却する紙幣処理装置に関する。
【背景技術】
【０００２】
従来の紙幣処理装置は、紙幣の入金処理を行う場合、接客部に設けられた紙幣入出金口に投入された紙幣を１枚ずつ分離して紙幣搬送路で搬送し、その紙幣搬送路上の鑑別部で受入可能と鑑別された紙幣を一時保管庫へ搬送するようにしている。そして、投入された紙幣の金額を操作者に確認させ、入金処理を成立させる操作を受け付けると一時保管庫に保管された紙幣を１枚ずつ分離して紙幣搬送路で紙幣収納庫へ搬送し、収納する。一方、入金処理を取消す操作を受け付けると一時保管庫に保管された紙幣を１枚ずつ分離して紙幣搬送路で接客部へ搬送し、操作者へ返却するようにしている。
【０００３】
このように紙幣入出金口に投入された紙幣を一時保管する一時保留部を紙幣収納庫の上部に配置したものがある（例えば、特許文献１参照）。
【特許文献１】特開平９−１４７１９３号公報（段落「００１５」、図２）
【発明の開示】
【発明が解決しようとする課題】
【０００４】
しかしながら、上述した従来の技術においては、入金処理を取消す操作を受け付けて一時保管庫に保管された紙幣を操作者へ返却する場合、その一時保管庫に保管された紙幣を１枚ずつ分離して紙幣搬送路で接客部へ搬送する必要があるため、紙幣の搬送時間が長くなり、操作者が行う取引の時間が長くなってしまうという問題がある。
本発明は、このような問題を解決することを課題とし、一時保管庫に保管された紙幣を操作者へ返却する時間を短縮することを目的とする。
【課題を解決するための手段】
【０００５】
そのため、本発明は、顧客により接客部の紙幣投入庫に投入された紙幣を搬送して鑑別部で鑑別し、入金可能と鑑別された紙幣を紙幣収納庫に収納する入金処理を行う紙幣処理装置において、鑑別部で入金可能と鑑別された紙幣を紙幣収納庫に収納する前に集積して保管する一時保管庫を前記接客部に設け、入金処理を取消す指示を受けたとき、前記接客部のシャッタを開放して前記一時保管庫に保管された紙幣を顧客に返却できるようにしたことを特徴とする。
【発明の効果】
【０００６】
このようにした本発明は、一時保管庫に保管された紙幣を操作者へ返却する時間を短縮することができるという効果が得られる。
【発明を実施するための最良の形態】
【０００７】
以下、図面を参照して本発明による紙幣処理装置の実施例を説明する。
【実施例１】
【０００８】
図２は第１の実施例における自動取引装置の外観斜視図である。
図２において、１は自動取引装置であり、銀行等の金融機関の店舗やコンビニエンスストア等の店舗等に設置され、顧客の操作を受け付けて現金の入金や出金等の各種取引を行うものである。
この自動取引装置１には紙幣等の現金の入金処理および出金処理を行う紙幣処理装置１０が筐体７の内部に搭載され、また前面に入金する紙幣や出金する紙幣、および返却する紙幣を顧客との間で受け渡すための紙幣入出金口３、カードの挿入を受付け、そのカードを返却するためのカード挿入排出口４、取引内容等を印刷した明細票を発行するための明細票排出口５、および顧客の操作を誘導する画面を表示し、また取引に必要な情報の入力を受け付けるための顧客操作表示盤６を備えている。
【０００９】
図１は第１の実施例における紙幣処理装置の構成を示す側面図である。
図１において、１２はシャッタであり、紙幣処理装置１０の紙幣入出金口３を開閉するためのものである。顧客が自動取引装置を操作して取引を行う際はこのシャッタ１２が開閉して紙幣の出し入れが可能になるように制御されるものとなっている。
１３は接客部であり、入金する紙幣の投入を受け付ける紙幣投入庫１３１、入金された紙幣のうち後述する鑑別部により入金不可能と鑑別されたリジェクト紙幣を集積し、顧客に返却するためのリジェクト紙幣返却庫１３２、および入金された紙幣のうち鑑別部により入金可能と鑑別された紙幣を集積し、その紙幣を後述する紙幣収納庫に収納する前に一時的に保管するとともに入金処理が取り消されたとき保管した紙幣を顧客に返却するための一時保管庫１３３で構成され、紙幣投入庫１３１とリジェクト紙幣返却庫１３２は仕切り板１３４、リジェクト紙幣返却庫１３２と一時保管庫１３３は仕切り板１３５で仕切られている。
【００１０】
この紙幣投入庫１３１、リジェクト紙幣返却庫１３２、および一時保管庫１３３の上部は開口しており、その開口部から紙幣の出し入れができるようになっている。
また、接客部１３内には、紙幣投入庫１３１に投入された紙幣を１枚ずつ分離して装置内に送り込む分離手段が設けられ、またリジェクト紙幣返却庫１３２および一時保管庫１３３は後述する紙幣搬送部で搬送された紙幣を集積する集積機構が設けられ、さらに一時保管庫１３３には集積した紙幣を１枚ずつ分離して装置内に送り込む分離手段が設けられている。
【００１１】
さらに、接客部１３は、紙幣処理装置１０の機体に設けられたレール等のガイドに案内され、図示しないモータ等の駆動手段やセンサ等の位置検出手段により摺動可能に構成されており、図中矢印Ａが示す紙幣処理装置１０の前面から後面への方向、および矢印Ｂが示す紙幣処理装置１０の後面から前面への方向に移動することができるようになっている。
【００１２】
したがって、接客部１３は、紙幣投入庫１３１、リジェクト紙幣返却庫１３２、または一時保管庫１３３の開口部をシャッタ１２に対向する下方に移動し、そのシャッタ１２を開放して紙幣投入庫１３１で入金する紙幣の投入を受け付けることができ、またリジェクト紙幣返却庫１３２または一時保管庫１３３に集積された紙幣を顧客に返却することができるようになっている。
【００１３】
１４は紙幣搬送部であり、接客部１３から送り出された紙幣をベルト等で挟持して搬送する搬送路、その搬送路を駆動するためのモータ等で構成されたものである。
１５は鑑別部であり、この鑑別部１５は、紙幣搬送部１４上に設けられ紙幣の真偽、金種、正損、表裏の鑑別を行うと共に、重送、連鎖、斜行等の搬送異常の検知、および金種が確定した紙幣の計数を行う機能を有している。したがって、鑑別部１５は接客部１３の紙幣投入庫１３１に投入された紙幣を１枚ずつ鑑別して入金の可否を鑑別することができる。
【００１４】
１６ａ〜１６ｃは紙幣収納庫で、ここでは３個並べて配置しているが、この数に限られるものではなく、運用形態等に応じて少なくとも１つ備えていればよい。
紙幣収納庫１６ａ〜１６ｃにはそれぞれ上部一端に紙幣の取り込みおよび繰り出し用の開口部が形成されており、各々の開口部には紙幣収納庫１６ａ〜１６ｃ内に紙幣を１枚ずつ送り込んで集積させると共に紙幣収納庫１６ａ〜１６ｃ内から紙幣を１枚ずつ分離して繰り出す複数のローラから成る集積繰り出し手段が設けられている。
【００１５】
１７は出金取引時に鑑別部１５で金種不明等のリジェクト紙幣と鑑別された紙幣を収納するリジェクト収納庫である。
１８ａ、１８ｂは切替ブレードであり、紙幣搬送部１４上に設けられ、紙幣搬送部１４で搬送される紙幣の行き先を切り替えるためのものである。この切替ブレード１８ａ、１８ｂを切り替えることにより、鑑別部１５により入金不可能と鑑別されたリジェクト紙幣をリジェクト紙幣返却庫１３２へ搬送することができ、また入金された紙幣のうち鑑別部により入金可能と鑑別された紙幣を一時保管庫１３３へ搬送することができるようになっている。
【００１６】
また、紙幣搬送部１４上の他の分岐点にも図示しない切替ブレードが配置され、接客部１３の一時保管庫１３３に集積された紙幣を紙幣収納庫１６ａ〜１６ｃへ搬送して収納することができるようになっている。
したがって、接客部１３の一時保管庫１３３は鑑別部１５と紙幣収納庫１６ａ〜１６ｃとの間に配置され、入金可能と鑑別された紙幣を一時的に保管することができるようになっている。
【００１７】
このような構成を有する紙幣処理装置１０は、図３に示すようにシャッタ１２、接客部１３、搬送部１４、鑑別部１５、紙幣収納庫１６（１６ａ〜１６ｃ）等の各部の動作は、メモリ等の記憶部１７に格納されたプログラム（ソフトウェア）に基づいて中央演算処理装置等の制御部１８により制御されるものとなっている。
なお、以下の実施例では発明に直接関係しない出金についての説明を省略する。
【００１８】
上述した構成の作用を図４の第１の実施例における入金時のシャッタおよび接客部の説明図、図５の第１の実施例におけるリジェクト紙幣返却時のシャッタおよび接客部の説明図、図６の第１の実施例における入金紙幣返却時のシャッタおよび接客部の説明図に基づいて説明する。
まず、制御部１８は、図４に示すように紙幣投入庫１３１の開口部がシャッタ１２の下方に位置するように接客部１３を移動させる。
【００１９】
紙幣投入庫１３１の開口部がシャッタ１２の下方に位置するように接客部１３を移動させると制御部１８は、シャッタ１２を開放し、入金する紙幣の投入を受け付ける。
入金する紙幣の投入を受け付けると制御部１８は、シャッタ１２を閉塞し、接客部１３の分離手段により紙幣投入庫１３１に投入された紙幣を１枚ずつ分離して装置内の紙幣搬送部１４へ送り出す。
【００２０】
紙幣を紙幣搬送部１４へ送り出すと制御部１８は、その紙幣を紙幣搬送部１４で鑑別部１５へ搬送して鑑別する。鑑別部１５の鑑別の結果、搬送され紙幣が入金可能と鑑別された場合、その紙幣を一時保管庫１３３へ搬送して集積し、一方入金不可能と鑑別された場合、その紙幣をリジェクト紙幣としてリジェクト紙幣返却庫１３２へ搬送して集積する。
紙幣投入庫１３１に投入されたすべての紙幣を一時保管庫１３３またはリジェクト紙幣返却庫１３２へ搬送すると制御部１８は、リジェクト紙幣返却庫１３２に紙幣が集積されている場合、図５に示すように接客部１３を矢印Ａが示す方向へリジェクト紙幣返却庫１３２の開口部がシャッタ１２の下方に位置するまで移動してシャッタ１２を開放してリジェクト紙幣を顧客へ返却する。
【００２１】
リジェクト紙幣を顧客へ返却すると制御部１８は、入金可能と鑑別され、一時保管庫１３３に集積した紙幣の合計金額を自動取引装置１の制御部へ通知し、その合計金額を顧客操作表示盤６に表示させて顧客に合計金額を確認させる。
顧客は表示された合計金額を確認し、入金取引を成立させるための「確認」ボタンまたは入金取引を取消すための「取消」ボタンを押下するものとする。
【００２２】
「取消」ボタンが押下されると自動取引装置１の制御部は紙幣処理装置１０の制御部１８へ一時保管庫１３３に集積した紙幣を顧客に返却することを通知（指示）する。
その通知を受けた紙幣処理装置１０の制御部１８は、図６に示すように接客部１３を矢印Ａが示す方向へ一時保管庫１３３の開口部がシャッタ１２の下方に位置するまで移動してシャッタ１２を開放して投入され、計数された紙幣を顧客へ返却する。
【００２３】
一方、「確認」ボタンが押下されると自動取引装置１の制御部は紙幣処理装置１０の制御部１８へ一時保管庫１３３に集積した紙幣を紙幣収納庫１６へ搬送して収納することを通知する。
その通知を受けた紙幣処理装置１０の制御部１８は、一時保管庫１３３に集積した紙幣を接客部１３の分離手段により１枚ずつ分離して紙幣搬送部１４へ送り出し、紙幣収納庫１６へ搬送して収納する。
【００２４】
このように接客部１３に紙幣投入庫１３１とリジェクト紙幣返却庫１３２は仕切り板１３４、およびリジェクト紙幣返却庫１３２と一時保管庫１３３は仕切り板１３５を設け、一時保管庫１３３がシャッタ１２の下方になるように接客部１３を移動して投入された紙幣を顧客へ返却するようにしたことにより、入金取引が取消された場合、投入された紙幣を分離して紙幣搬送部１４で搬送する必要がなくなり、顧客に紙幣を返却する時間を短縮することができるようになる。
【００２５】
なお、本実施例では、接客部１３を摺動させて紙幣投入庫１３１、リジェクト紙幣返却庫１３２、または一時保管庫１３３をシャッタ１２の下方に移動するように構成したが、図７に示すように接客部１３を回動させて紙幣投入庫１３１、リジェクト紙幣返却庫１３２、または一時保管庫１３３をシャッタ１２の下方に移動するように構成してもよい。
このように構成することにより、接客部１３を回動させて紙幣投入庫１３１に投入された紙幣を分離して装置内へ送り込むタイプの紙幣処理装置１０においては、接客部１３が移動するための余分なスペースを不要にすることができるようになる。
【００２６】
以上説明したように、第１の実施例では、リジェクト紙幣返却庫１３２と一時保管庫１３３は仕切り板１３５を設け、一時保管庫１３３がシャッタ１２の下方になるように接客部１３を移動して投入された紙幣を顧客へ返却するようにしたことにより、顧客に紙幣を返却する時間を短縮することができるようになり、取引時間を短縮することができるという効果が得られる。
【実施例２】
【００２７】
第１の実施例では、接客部が摺動可能に構成されたものとして説明したが、第２の実施例では、接客部は固定され、シャッタが接客部の紙幣投入庫、リジェクト紙幣返却庫、または一時保管庫の上方を摺動可能に構成されている。
その第２の実施例に構成を図８の第２の実施例における紙幣処理装置の構成を示す側面図に基づいて説明する。なお、上述した第１の実施例と同様の部分は、同一の符号を付してその説明を省略する。
【００２８】
図８において、２２はシャッタであり、紙幣処理装置１０の紙幣入出金口３を開閉するためのものである。顧客が自動取引装置を操作して取引を行う際はこのシャッタ１２が開閉して紙幣の出し入れが可能になるように制御されるものとなっている。
このシャッタ２２は、紙幣処理装置１０の機体に設けられたレール等のガイドに案内され、図示しないモータ等の駆動手段やセンサ等の位置検出手段により摺動可能に構成されており、図中矢印Ｃが示す紙幣処理装置１０の前面から後面への方向、および矢印Ｄが示す紙幣処理装置１０の後面から前面への方向に移動することができるようになっている。
【００２９】
２３は接客部であり、入金する紙幣の投入を受け付ける紙幣投入庫２３１、入金された紙幣のうち後述する鑑別部により入金不可能と鑑別されたリジェクト紙幣を集積するためのリジェクト紙幣返却庫２３２、および入金された紙幣のうち鑑別部により入金可能と鑑別された紙幣を集積し、その紙幣を紙幣収納庫１６に収納する前に一時的に保管するための一時保管庫２３３で構成され、紙幣投入庫２３１とリジェクト紙幣返却庫２３２は仕切り板２３４、リジェクト紙幣返却庫２３２と一時保管庫２３３は仕切り板２３５で仕切られている。
【００３０】
この紙幣投入庫２３１、リジェクト紙幣返却庫２３２、および一時保管庫２３３の上部は開口しており、その開口部から紙幣の出し入れができるようになっている。
この接客部２３内には、紙幣投入庫２３１に投入された紙幣を１枚ずつ分離して装置内に送り込む分離手段が設けられ、またリジェクト紙幣返却庫２３２および一時保管庫２３３は紙幣搬送部で搬送された紙幣を集積する集積機構が設けられ、さらに一時保管庫２３３には集積した紙幣を１枚ずつ分離して装置内に送り込む分離手段が設けられている。
【００３１】
シャッタ２２は、この紙幣投入庫２３１、リジェクト紙幣返却庫２３２、または一時保管庫２３３の開口部に対向する上方を移動し、また紙幣投入庫２３１、リジェクト紙幣返却庫２３２、または一時保管庫２３３の上方で停止して開閉することができるようになっており、そのシャッタ２２を開放して紙幣投入庫２３１で入金する紙幣の投入を受け付けることができ、またリジェクト紙幣返却庫２３２または一時保管庫２３３に集積された紙幣を顧客に返却することができるようになっている。
【００３２】
また、接客部２３の一時保管庫２３３は鑑別部１５と紙幣収納庫１６ａ〜１６ｃとの間に配置され、入金可能と鑑別された紙幣を一時的に保管することができるようになっている。
このような構成を有する紙幣処理装置１０は、シャッタ２２、接客部２３、搬送部１４、鑑別部１５、紙幣収納庫１６（１６ａ〜１６ｃ）等の各部の動作は、メモリ等の記憶部１７に格納されたプログラム（ソフトウェア）に基づいて中央演算処理装置等の制御部１８により制御されるものとなっている。
【００３３】
上述した構成の作用を図９の第２の実施例における入金時のシャッタおよび接客部の説明図、図１０の第２の実施例におけるリジェクト紙幣返却時のシャッタおよび接客部の説明図、図１１の第２の実施例における入金紙幣返却時のシャッタおよび接客部の説明図に基づいて説明する。
まず、制御部１８は、シャッタ２２を図９に示すように接客部２３の紙幣投入庫２３１の開口部の上方に位置するように移動させる。
【００３４】
シャッタ２２が紙幣投入庫２３１の開口部の上方に位置するように移動させると制御部１８は、シャッタ２２を開放し、入金する紙幣の投入を受け付ける。
入金する紙幣の投入を受け付けると制御部１８は、シャッタ２２を閉塞し、接客部２３の分離手段により紙幣投入庫２３１に投入された紙幣を１枚ずつ分離して装置内の紙幣搬送部１４へ送り出す。
【００３５】
紙幣を紙幣搬送部１４へ送り出すと制御部１８は、その紙幣を紙幣搬送部１４で鑑別部１５へ搬送して鑑別する。鑑別部１５の鑑別の結果、搬送され紙幣が入金可能と鑑別された場合、その紙幣を一時保管庫２３３へ搬送して集積し、一方入金不可能と鑑別された場合、その紙幣をリジェクト紙幣としてリジェクト紙幣返却庫２３２へ搬送して集積する。
紙幣投入庫２３１に投入されたすべての紙幣を一時保管庫２３３またはリジェクト紙幣返却庫２３２へ搬送すると制御部１８は、リジェクト紙幣返却庫２３２に紙幣が集積されている場合、図１０に示すようにシャッタ２２を矢印Ｃが示す方向へリジェクト紙幣返却庫２３２の開口部の上方に位置するまで移動してシャッタ２２を開放してリジェクト紙幣を顧客へ返却する。
【００３６】
リジェクト紙幣を顧客へ返却すると制御部１８は、入金可能と鑑別され、一時保管庫２３３に集積した紙幣の合計金額を自動取引装置１の制御部へ通知し、その合計金額を顧客操作表示盤６に表示させて顧客に合計金額を確認させる。
顧客は表示された合計金額を確認し、入金取引を成立させるための「確認」ボタンまたは入金取引を取消すための「取消」ボタンを押下するものとする。
【００３７】
「取消」ボタンが押下されると自動取引装置１の制御部は紙幣処理装置１０の制御部１８へ一時保管庫２３３に集積した紙幣を顧客に返却することを通知（指示）する。
その通知を受けた紙幣処理装置１０の制御部１８は、図１１に示すようにシャッタ２２を矢印Ｃが示す方向へ一時保管庫２３３の開口部の上方に位置するまで移動してシャッタ２２を開放して投入され、計数された紙幣を顧客へ返却する。
【００３８】
一方、「確認」ボタンが押下されると自動取引装置１の制御部は紙幣処理装置１０の制御部１８へ一時保管庫２３３に集積した紙幣を紙幣収納庫１６へ搬送して収納することを通知する。
その通知を受けた紙幣処理装置１０の制御部１８は、一時保管庫２３３に集積した紙幣を接客部２３の分離手段により１枚ずつ分離して紙幣搬送部１４へ送り出し、紙幣収納庫１６へ搬送して収納する。
【００３９】
このように接客部２３に一時保管庫２３３を設け、一体型とすることにより装置内部のスペースを削除することができ、また接客部２３を固定することにより、接客部２３が移動するために必要な余分なスペースを削除することができる。
以上説明したように、第２の実施例では、第１の実施例の効果に加え、接客部２３に一時保管庫２３３を設け、一体型とし、また接客部２３を固定することにより、紙幣処理装置１０を小型化することができるという効果が得られる。
【実施例３】
【００４０】
第１の実施例では、接客部が摺動可能に構成され、第２の実施例ではシャッタが摺動可能に構成されたものとして説明したが、第３の実施例では、接客部およびシャッタは固定され、接客部の内部に設けられた仕切り板等が摺動可能に構成されている。
その第３の実施例に構成を図１２の第３の実施例における入金時のシャッタおよび接客部の説明図に基づいて説明する。なお、上述した第１の実施例と同様の部分は、同一の符号を付してその説明を省略する。
【００４１】
図１２において、３３は接客部であり、入金する紙幣の投入を受け付ける紙幣投入庫３３１、入金された紙幣のうち後述する鑑別部により入金不可能と鑑別されたリジェクト紙幣を集積するためのリジェクト紙幣返却庫３３２、および入金された紙幣のうち鑑別部により入金可能と鑑別された紙幣を集積し、その紙幣を紙幣収納庫１６に収納する前に一時的に保管するための一時保管庫３３３で構成され、紙幣投入庫３３１とリジェクト紙幣返却庫３３２は第１の仕切り板としての仕切り板３３４、リジェクト紙幣返却庫３３２と一時保管庫３３３は第２の仕切り板としての仕切り板３３５で仕切られている。
【００４２】
また、リジェクト紙幣返却庫３３２内にはリジェクト紙幣返却庫３３２に集積した紙幣を図中矢印Ｅが示す方向へ押圧するための第１の紙幣押圧板としての紙幣プレス３３６、一時保管庫３３３内には一時保管庫３３３に集積した紙幣を図中矢印Ｅが示す方向へ押圧するための第２の紙幣押圧板としての紙幣プレス３３７が設けられている。
本実施例では、図１２に示すように接客部３３の紙幣投入庫３３１、リジェクト紙幣返却庫３３２、および一時保管庫３３３となる部位の上部がすべて開口したものとして説明するが、紙幣投入庫３３１となる部位の上部だけが開口するように開口部が形成されていてもよい。
【００４３】
この接客部３３内には、紙幣投入庫３３１に投入された紙幣を１枚ずつ分離して装置内に送り込む分離手段が設けられ、またリジェクト紙幣返却庫３３２および一時保管庫３３３は後述する紙幣搬送部で搬送された紙幣を集積する集積機構が設けられ、さらに一時保管庫３３３には集積した紙幣を１枚ずつ分離して装置内に送り込む分離手段が設けられている。
【００４４】
また、仕切り板３３４、仕切り板３３５、紙幣プレス３３６、および紙幣プレス３３７は、紙幣処理装置１０の機体に設けられたレール等のガイドに案内され、図示しないモータ等の駆動手段やセンサ等の位置検出手段により摺動可能に構成されており、図中矢印Ｅが示す紙幣処理装置１０の前面から後面への方向、および矢印Ｆが示す紙幣処理装置１０の後面から前面への方向にそれぞれ独立して移動することができるようになっている。
【００４５】
したがって、接客部３３の仕切り板３３４、仕切り板３３５、紙幣プレス３３６、および紙幣プレス３３７を所定の位置へ移動することにより、図１２に示すように紙幣投入庫３３１、リジェクト紙幣返却庫３３２および一時保管庫３３３を形成し、シャッタ１２を開放して紙幣投入庫３３１で入金する紙幣の投入を受け付けることができるようになっている。
【００４６】
また、仕切り板３３４および紙幣プレス３３６を矢印Ｅが示す方向へ移動することにより、リジェクト紙幣返却庫３３２に集積された紙幣をシャッタ１２に対向する下方へ移動し、シャッタ１２を開放することにより、リジェクト紙幣返却庫３３２に集積された紙幣を顧客に返却することができるようになっている。
さらに、仕切り板３３５および紙幣プレス３３７を矢印Ｅが示す方向へ移動することにより、一時保管庫３３３に集積された紙幣をシャッタ１２に対向する下方へ移動し、シャッタ１２を開放することにより、一時保管庫３３３に集積された紙幣を顧客に返却することができるようになっている。
【００４７】
また、接客部３３の一時保管庫３３３は鑑別部１５と紙幣収納庫１６ａ〜１６ｃとの間に配置され、入金可能と鑑別された紙幣を一時的に保管することができるようになっている。
このような構成を有する紙幣処理装置１０は、シャッタ１２、接客部３３、搬送部１４、鑑別部１５、紙幣収納庫１６（１６ａ〜１６ｃ）等の各部の動作は、メモリ等の記憶部１７に格納されたプログラム（ソフトウェア）に基づいて中央演算処理装置等の制御部１８により制御されるものとなっている。
【００４８】
上述した構成の作用を図１２の第３の実施例における入金時のシャッタおよび接客部の説明図、図１３の第３の実施例におけるリジェクト紙幣返却時のシャッタおよび接客部の説明図、図１４の第３の実施例における入金紙幣返却時のシャッタおよび接客部の説明図に基づいて説明する。
まず、制御部１８は、接客部３３の仕切り板３３４、仕切り板３３５、紙幣プレス３３６、および紙幣プレス３３７を所定の位置へ移動し、図１２に示すように紙幣投入庫３３１、リジェクト紙幣返却庫３３２および一時保管庫３３３を形成する。
【００４９】
仕切り板３３４、仕切り板３３５、紙幣プレス３３６、および紙幣プレス３３７を所定の位置へ移動させると制御部１８は、シャッタ１２を開放し、入金する紙幣の投入を受け付ける。
入金する紙幣の投入を受け付けると制御部１８は、シャッタ１２を閉塞し、接客部３３の分離手段により紙幣投入庫３３１に投入された紙幣を１枚ずつ分離して装置内の紙幣搬送部１４へ送り出す。
【００５０】
紙幣を紙幣搬送部１４へ送り出すと制御部１８は、その紙幣を紙幣搬送部１４で鑑別部１５へ搬送して鑑別する。鑑別部１５の鑑別の結果、搬送され紙幣が入金可能と鑑別された場合、その紙幣を一時保管庫３３３へ搬送して集積し、一方入金不可能と鑑別された場合、その紙幣をリジェクト紙幣としてリジェクト紙幣返却庫３３２へ搬送して集積する。
紙幣投入庫３３１に投入されたすべての紙幣を一時保管庫３３３またはリジェクト紙幣返却庫３３２へ搬送すると制御部１８は、リジェクト紙幣返却庫３３２に紙幣が集積されている場合、図１３に示すように仕切り板３３４および紙幣プレス３３６を矢印Ｅが示す方向へ移動してリジェクト紙幣返却庫３３２に集積された紙幣をシャッタ１２の下方へ移動し、シャッタ１２を開放してリジェクト紙幣を顧客へ返却する。
【００５１】
リジェクト紙幣を顧客へ返却すると制御部１８は、入金可能と鑑別され、一時保管庫３３３に集積した紙幣の合計金額を自動取引装置１の制御部へ通知し、その合計金額を顧客操作表示盤６に表示させて顧客に合計金額を確認させる。
顧客は表示された合計金額を確認し、入金取引を成立させるための「確認」ボタンまたは入金取引を取消すための「取消」ボタンを押下するものとする。
【００５２】
「取消」ボタンが押下されると自動取引装置１の制御部は紙幣処理装置１０の制御部１８へ一時保管庫３３３に集積した紙幣を顧客に返却することを通知（指示）する。
その通知を受けた紙幣処理装置１０の制御部１８は、図１４に示すように仕切り板３３４、仕切り板３３５、紙幣プレス３３６、および紙幣プレス３３７を矢印Ｅが示す方向へ移動して一時保管庫３３３に集積された紙幣をシャッタ１２の下方へ移動し、シャッタ１２を開放して投入され、計数された紙幣を顧客へ返却する。
【００５３】
一方、「確認」ボタンが押下されると自動取引装置１の制御部は紙幣処理装置１０の制御部１８へ一時保管庫３３３に集積した紙幣を紙幣収納庫１６へ搬送して収納することを通知する。
その通知を受けた紙幣処理装置１０の制御部１８は、一時保管庫３３３に集積した紙幣を接客部３３の分離手段により１枚ずつ分離して紙幣搬送部１４へ送り出し、紙幣収納庫１６へ搬送して収納する。
【００５４】
以上説明したように、第３の実施例では、第１の実施例の効果および第２の実施例の効果に加え、接客部やシャッタを移動させる構成が不要となり、紙幣処理装置１０をより小型化することができるという効果が得られる。
なお、第１の実施例から第３の実施例では、接客部に紙幣投入庫、リジェクト紙幣返却庫および一時保管庫を一体とした構成で説明したが、図１５に示すように紙幣投入庫４３１とリジェクト紙幣返却庫４３２および一時保管庫４３３とを離した構成としてもよい。
【００５５】
このとき、リジェクト紙幣返却庫４３２と一時保管庫４３３との間に仕切り板４３５を設け、リジェクト紙幣返却庫４３２および一時保管庫４３３を移動可能に構成することで第１の実施例が適用可能になり、また図示しないシャッタをリジェクト紙幣返却庫４３２および一時保管庫４３３の間を移動可能に構成することで第２の実施例が適用可能になり、さらに、移動可能な仕切り板４３５とともに紙幣プレスを設けることで第３の実施例が適用可能になる。
【図面の簡単な説明】
【００５６】
【図１】第１の実施例における紙幣処理装置の構成を示す側面図
【図２】第１の実施例における自動取引装置の外観斜視図
【図３】第１の実施例における紙幣処理装置の構成を示すブロック図
【図４】第１の実施例における入金時のシャッタおよび接客部の説明図
【図５】第１の実施例におけるリジェクト紙幣返却時のシャッタおよび接客部の説明図
【図６】第１の実施例における入金紙幣返却時のシャッタおよび接客部の説明図
【図７】第１の実施例における紙幣処理装置の構成を示す側面図
【図８】第２の実施例における紙幣処理装置の構成を示す側面図
【図９】第２の実施例における入金時のシャッタおよび接客部の説明図
【図１０】第２の実施例におけるリジェクト紙幣返却時のシャッタおよび接客部の説明図
【図１１】第２の実施例における入金紙幣返却時のシャッタおよび接客部の説明図
【図１２】第３の実施例における入金時のシャッタおよび接客部の説明図
【図１３】第３の実施例におけるリジェクト紙幣返却時のシャッタおよび接客部の説明図
【図１４】第３の実施例における入金紙幣返却時のシャッタおよび接客部の説明図
【図１５】応用例における紙幣処理装置の構成を示す側面図
【符号の説明】
【００５７】
１    自動取引装置
３    紙幣入出金口
４    カード挿入排出口
５    明細票排出口
６    顧客操作表示盤
７    筐体
１０  紙幣処理装置
１１  接客口
１２、２２  シャッタ
１３、２３、３３  接客部
１３１、２３１、３３１  紙幣投入庫
１３２、２３２、３３２  リジェクト紙幣返却庫
１３３、２３３、３３３  一時保管庫
１４  紙幣搬送部
１５  鑑別部
１６  紙幣収納庫
１７  リジェクト庫
１８  切替ブレード
【図１】
2010015336.tif 000003
【図２】
2010015336.tif 000004
【図３】
2010015336.tif 000005
【図４】
2010015336.tif 000006
【図５】
2010015336.tif 000007
【図６】
2010015336.tif 000008
【図７】
2010015336.tif 000009
【図８】
2010015336.tif 000010
【図９】
2010015336.tif 000011
【図１０】
2010015336.tif 000012
【図１１】
2010015336.tif 000013
【図１２】
2010015336.tif 000014
【図１３】
2010015336.tif 000015
【図１４】
2010015336.tif 000016
【図１５】
2010015336.tif 000017